(57)【要約】【課題】当該システムを起動させる施工時等における施工性を高めて棟の構成を自由に構築するとともに、管理室親機にてセキュリティ異常を警報報知するにあたり行われる音声通知をより詳細なものとする。【解決手段】集中集合玄関機１または棟集合玄関機２ａ、２ｂ、・・・から送信される呼出先の棟番号および部屋番号が付加された集合玄関呼出信号に対応した呼出先住戸呼出信号を制御機５の制御機メモリ５１から読み出し、読み出された呼出先住戸呼出信号を自居室親機の住戸呼出信号として呼出先の居室親機１１ａ、１２ａ、・・・、１１ｂ、１２ｂ、・・・、・・・の居室親機メモリ６４へと記憶させる。また、制御機の制御機メモリへと居室親機の棟番号の棟名称の設定（設定内容）を記憶させることにより、居室親機にてセキュリティ異常が発生したとき、管理室親機３にて行われる警報報知を制御機メモリから読み出した棟番号の棟名称を用いて詳細に音声通知する。【選択図】  図１
2004260679.tif 000002
【特許請求の範囲】
【請求項１】
集中集合玄関に設置され棟番号および部屋番号を指定して全棟の居室親機を呼出可能な集中集合玄関機（１）と、各棟集合玄関に設置され部屋番号を指定したとき自棟の棟番号を付加して自棟の居室親機を呼出可能な棟集合玄関機（２ａ、２ｂ、・・・）と、各住戸内に設置され個別の部屋番号を有する複数の居室親機（１１ａ、１２ａ、・・・、１１ｂ、１２ｂ、・・・、・・・）と、前記集中集合玄関機、前記棟集合玄関機、前記居室親機をそれぞれ制御するための制御機（５）とから構成され、
前記集中集合玄関機は、前記棟番号および部屋番号を指定して呼び出したとき、前記棟番号および部屋番号が付加された集合玄関呼出信号を送信するための集中集合玄関機制御回路（３４）を備え、
前記棟集合玄関機は、前記居室親機の部屋番号を指定して呼び出したとき、前記部屋番号に前記棟番号が付加された集合玄関呼出信号を送信するための棟集合玄関機制御回路（４４）を備え、
前記制御機は、前記集中集合玄関機または前記棟集合玄関機から受信した前記集合玄関呼出信号に対応した呼出先住戸呼出番号を記憶するための制御機メモリ（５１）を備え、
前記居室親機は、前記制御機メモリに記憶された前記集中集合玄関機または前記棟集合玄関機の呼出先住戸呼出番号を自居室親機の住戸呼出番号として記憶するための居室親機メモリ（６４）を備えたことを特徴とする集合住宅インターホンシステム。
【請求項２】
前記制御機は、前記制御機メモリおよび前記居室親機メモリの記憶内容を変更するための設定パーソナルコンピュータ（４）との通信回路（５６）を備えたことを特徴とする請求項１記載の集合住宅インターホンシステム。
【請求項３】
管理室内に設置される管理室親機（３）を備え、前記居室親機からの警報内容を前記管理室親機にて音声通知するにあたり、前記居室親機の棟番号の棟名称の設定を前記制御機メモリへと記憶させることを特徴とする請求項１または請求項２記載の集合住宅インターホンシステム。
【発明の詳細な説明】
【０００１】
【発明の属する技術分野】
本発明は集合住宅インターホンシステムに係り、特に、当該システムを起動させる施工時等における施工性を高めて棟の構成を自由に構築できる多棟対応の集合住宅インターホンシステムに関する。
【０００２】
【従来の技術】
従来から、この種の集合住宅インターホンシステムとして、図２のブロック図に示すように、集中集合玄関に設置される集中集合玄関機１０１および管理室内に設置される管理室親機１０２と、系統が異なる複数の棟の各住戸内に設置され個別の部屋番号を有する複数の居室親機、ここでは、棟番号が「Ａ」の棟の各住戸内に設置される居室親機１１１ａ、１１２ａ、・・・、棟番号が「Ｂ」の棟の各住戸内に設置される居室親機１１１ｂ、１１２ｂ、・・・、・・・とが制御機１０３により制御される多棟対応の集合住宅インターホンシステムが提案／開示されている（例えば、非特許文献１参照）。
【０００３】
従来例の集合住宅インターホンシステムにおいて、居室親機１１１ａ、１１２ａ、・・・、１１１ｂ、１１２ｂ、・・・、・・・が有する個別の部屋番号は自居室親機にてそれぞれ設定可能であり、制御機１０３は、当該居室親機の棟番号「Ａ」、「Ａ」、・・・、「Ｂ」、「Ｂ」、・・・、・・・を系統毎に割り当てて記憶していた。
【０００４】
また、居室親機１１１ａ、１１２ａ、・・・、１１１ｂ、１１２ｂ、・・・、・・・のうち特定の居室親機にてセキュリティ異常が発生、例えば、火災、ガス漏れ、水漏れ等が発生すると、セキュリティ異常の警報内容を付加した警報データ信号が制御機１０３を介して管理室親機１０２へと伝送される。この警報データ信号を検出した管理室親機１０２では、セキュリティ異常の警報内容を表示するとともにセキュリティ異常が発生した住戸の棟番号、部屋番号および警報内容を音声通知していた。
【０００５】
【非特許文献１】アイホン  総合カタログ  ２００２／２００３年度版（２９０、２９１、３１１、３３１頁）
【０００６】
【発明が解決しようとする課題】
しかしながら、従来例の集合住宅インターホンシステムにおいて、集中集合玄関に設置される集中集合玄関機１０１とは別途に複数の棟の各棟集合玄関に棟集合玄関機を設置するにあたり、集中集合玄関機１０１と棟集合玄関機とを制御機１０３へとバス接続させて同一の系統の当該玄関機として割り当てることができなかった。
【０００７】
また、従来例の集合住宅インターホンシステムにおいて、管理室親機１０２にてセキュリティ異常を警報報知するにあたり行われる音声通知は、セキュリティ異常が発生した住戸の棟番号、部屋番号および警報内容であり、当該棟番号の名称を詳細に音声通知できなかった。
【０００８】
本発明は、上述の難点を解消するためになされたもので、集中集合玄関機と棟集合玄関機とを制御機へとバス接続させて同一の系統の当該玄関機として割り当て、これらの玄関機の機器変更を行わずとも居室親機への呼出方法を自由に設定可能とし、当該システムを起動させる施工時等における施工性を高めて棟の構成を自由に構築するとともに、管理室親機にてセキュリティ異常を警報報知するにあたり行われる音声通知をより詳細なものとした多棟対応の集合住宅インターホンシステムを提供することを目的としている。
【０００９】
【課題を解決するための手段】
このような目的を達成するため、本発明の集合住宅インターホンシステムは、集中集合玄関に設置され棟番号および部屋番号を指定して全棟の居室親機を呼出可能な集中集合玄関機と、棟集合玄関に設置され部屋番号を指定したとき自棟の棟番号を付加して自棟の居室親機を呼出可能な棟集合玄関機と、各住戸内に設置され個別の部屋番号を有する複数の居室親機と、集中集合玄関機、棟集合玄関機、居室親機をそれぞれ制御するための制御機とから構成されるシステムである。集中集合玄関機は、棟番号および部屋番号を指定して呼び出したとき、棟番号および部屋番号が付加された集合玄関呼出信号を送信するための集中集合玄関機制御回路を備えている。棟集合玄関機は、居室親機の部屋番号を指定して呼び出したとき、部屋番号に棟番号が付加された集合玄関呼出信号を送信するための棟集合玄関機制御回路を備えている。制御機は、集中集合玄関機または棟集合玄関機から受信した集合玄関呼出信号に対応した呼出先住戸呼出番号を記憶するための制御機メモリを備えている。居室親機は、制御機メモリに記憶された集中集合玄関機または棟集合玄関機の呼出先住戸呼出番号を自居室親機の住戸呼出番号として記憶するための居室親機メモリを備えている。
【００１０】
また、本発明の集合住宅インターホンシステムにおいて、制御機は、制御機メモリおよび居室親機メモリの記憶内容を変更するための設定パーソナルコンピュータとの通信回路を備えている。
【００１１】
また、本発明の集合住宅インターホンシステムは、管理室内に設置される管理室親機を備え、居室親機からの警報内容を管理室親機にて音声通知するにあたり居室親機の棟番号の棟名称の設定を制御機メモリへと記憶させるシステムである。
【００１２】
このような集合住宅インターホンシステムによれば、同一の系統の玄関機として割り当てた集中集合玄関機または棟集合玄関機から送信される呼出先（呼出相手先）の棟番号および部屋番号が付加された集合玄関呼出信号に対応した呼出先住戸呼出信号を制御機の制御機メモリから読み出し、読み出された呼出先住戸呼出信号を自居室親機の住戸呼出信号として呼出先の居室親機の居室親機メモリへと記憶させることができる。また、制御機の制御機メモリへと居室親機の棟番号の棟名称の設定（設定内容）を記憶させることにより、居室親機にてセキュリティ異常が発生したとき、管理室親機にて行われる警報報知を制御機メモリから読み出した棟番号の棟名称を用いて詳細に音声通知することができる。さらに、制御機の制御機メモリおよび居室親機の居室親機メモリの記憶内容は、設定パーソナルコンピュータから容易に変更することができる。
【００１３】
【発明の実施の形態】
以下、本発明の集合住宅インターホンシステムを適用した好ましい形態の実施例について、図面を参照して説明する。
【００１４】
図１は、本発明の実施例による多棟対応の集合住宅インターホンシステムの構成を示すブロック図である。
【００１５】
図１のブロック図に示す集合住宅インターホンシステムは、集中集合玄関に設置され、系統が異なる複数の棟、例えば、棟番号が「Ａ」、「Ｂ」、・・・に予め割り当てられている複数の棟の各住戸内に在室中の居住者のうち特定の棟の住戸内に在室中の居住者、または複数の棟の各共用部、例えば、ランドリールーム、フィットネスルーム、娯楽場、パソコンルーム等に在室中の居住者のうち特定の棟の共用部に在室中の居住者、または管理室内に在室中の管理人を来訪者が呼び出して通話を行うための集中集合玄関機１と、複数の棟の各棟集合玄関に設置され、系統が同一である自棟の各住戸内に在室中の居住者のうち特定の住戸内に在室中の居住者、または自棟の共用部に在室中の居住者、または管理室内に在室中の管理人を来訪者が呼び出して通話を行うための（複数の）棟集合玄関機２ａ、２ｂ、・・・と、複数の棟の各住戸内に設置され、集中集合玄関または自棟の棟集合玄関に居る来訪者からの呼び出しが報知され、これに応答した居住者が当該来訪者との間で通話を行うとともに、居住者が呼出元または呼出先である管理室内に在室中の管理人との間で通話を行うための複数の居室親機、ここでは、個別の部屋番号「１」、「２」、・・・、「１１」、「１２」、・・・、・・・を有する複数の居室親機１１ａ、１２ａ、・・・、１１ｂ、１２ｂ、・・・、・・・と、複数の棟の各共用部に設置され、集中集合玄関または自棟の棟集合玄関に居る来訪者からの呼び出しが報知され、これに応答した居住者が当該来訪者との間で通話を行うとともに、居住者が呼出元または呼出先である管理室内に在室中の管理人との間で通話を行うための複数の共用部親機、ここでは、個別の部屋番号「１０１」、「１０２」、・・・を有する複数の共用部親機２１ａ、２１ｂ、・・・と、管理室内に設置され部屋番号をなす管理室番号（詳述せず）を有しており、集中集合玄関または複数の棟の各棟集合玄関に居る来訪者からの呼び出しが報知され、これに応答した管理人が当該来訪者との間で通話を行うとともに、管理人が呼出元または呼出先である特定の棟の住戸内に在室中の居住者、または特定の棟の共用部に在室中の居住者との間で通話を行い、また、単一または複数の棟の住戸内に在室中の居住者や単一または複数の棟の共用部に在室中の居住者に対して一斉放送を行うための管理室親機３と、管理室内等に設置され、制御機５の後述する制御機メモリ５１の記憶内容を変更するための設定パーソナルコンピュータ（以下、設定パソコンという。）４と、玄関機ラインＬ１を介してバス接続された集中集合玄関機１および棟集合玄関機２ａ、２ｂ、・・・、居室親機ラインＬ２を介してバス接続された居室親機１１ａ、１２ａ、・・・、１１ｂ、１２ｂ、・・・、・・・、共用部親機ラインＬ３を介してバス接続された共用部親機２１ａ、２１ｂ、・・・、管理室親機ラインＬ４を介して接続された管理室親機３、パソコンラインＬ５を介して接続された設定パソコン４をそれぞれ制御するための制御機５とから構成されている。
【００１６】
なお、集中集合玄関に設置される集中集合玄関機１、複数の棟の各共用部に設置される共用部親機２１ａ、２１ｂ、・・・はそれぞれ１台に限定されず、複数台設置することができる。
【００１７】
また、集中集合玄関機１は、集中集合玄関に居る来訪者が複数の棟の各住戸内に在室中の居住者のうち特定の棟の住戸内に在室中の居住者、または複数の棟の各共用部に在室中の居住者のうち特定の棟の共用部に在室中の居住者、または管理室内に在室中の管理人を呼び出すために操作する操作部３０と、操作部３０の操作情報等を表示するための表示部３１と、来訪者が居住者または管理人との間で通話を行うための音声を入出力する通話部３２と、複数の棟の棟番号、各住戸および各共用部の部屋番号、管理室番号が記憶される集中集合玄関機メモリ３３と、当該集中集合玄関機の構成各部をそれぞれ制御し、操作部３０の操作により指定された棟番号および部屋番号を付加させた集合玄関呼出信号を送信するための集中集合玄関機制御回路３４と、集中集合玄関機制御回路３４および玄関機ラインＬ１の間の信号／データ伝送路を形成するための通信回路（以下、集中集合玄関機Ｉ／Ｆという。）３５とを備えている。
【００１８】
また、棟集合玄関機２ａ、２ｂ、・・・はそれぞれ同様な構成であり、棟集合玄関に居る来訪者が自棟の各住戸内に在室中の居住者のうち特定の住戸内に在室中の居住者、または自棟の共用部に在室中の居住者、または管理室内に在室中の管理人を呼び出すために操作する操作部４０と、操作部４０の操作情報等を表示するための表示部４１と、来訪者が居住者または管理人との間で通話を行うための音声を入出力する通話部４２と、自棟の棟番号、各住戸および各共用部の部屋番号、管理室番号が記憶される棟集合玄関機メモリ４３と、当該棟集合玄関機の構成各部をそれぞれ制御し、操作部４０の操作により指定された部屋番号および棟集合玄関機メモリ４３から読み出した棟番号を付加させた集合玄関呼出信号を送信するための棟集合玄関機制御回路４４と、棟集合玄関機制御回路４４および玄関機ラインＬ１の間の信号／データ伝送路を形成するための通信回路（以下、棟集合玄関機Ｉ／Ｆという。）４５とを備えている。
【００１９】
また、制御機５は、当該制御機の構成各部をそれぞれ制御するための制御機制御回路５０と、集中集合玄関機１の操作部３０の操作により指定された棟番号および部屋番号、または、棟集合玄関機２ａ、２ｂ、・・・の操作部４０の操作により指定された部屋番号および当該部屋番号に付加された棟番号に対応した呼出先住戸呼出信号を記憶するとともに、居室親機１１ａ、１２ａ、・・・、１１ｂ、１２ｂ、・・・、・・・および共用部親機２１ａ、２１ｂ、・・・の棟番号の棟名称の設定（設定内容）を記憶するための制御機メモリ５１と、制御機制御回路５０および玄関機ラインＬ１の間の信号／データ伝送路を形成するための通信回路（以下、玄関機側制御機Ｉ／Ｆという。）５２と、制御機制御回路５０および居室親機ラインＬ２の間の信号／データ伝送路を形成するための通信回路（以下、居室親機側制御機Ｉ／Ｆという。）５３と、制御機制御回路５０および共用部親機ラインＬ３の間の信号／データ伝送路を形成するための通信回路（以下、共用部親機側制御機Ｉ／Ｆという。）５４と、制御機制御回路５０および管理室親機ラインＬ４の間の信号／データ伝送路を形成するための通信回路（以下、管理室親機側制御機Ｉ／Ｆという。）５５と、制御機制御回路５０およびパソコンラインＬ５の間の信号／データ伝送路を形成するための通信回路（以下、パソコン側制御機Ｉ／Ｆという。）５６とを備えている。
【００２０】
さらに、居室親機１１ａ、１２ａ、・・・、１１ｂ、１２ｂ、・・・、・・・はそれぞれ同様な構成であり、住戸内に在室中の居住者が自居室親機の部屋番号を設定するための設定部６０と、この居住者が集中集合玄関に居る来訪者、または自棟の棟集合玄関に居る来訪者、または管理室内に在室中の管理人からの呼び出しに応答するために操作するともに、当該居住者が管理人を呼び出すために操作する操作部６１と、設定部６０の設定情報および操作部６１の操作情報等を表示するための表示部６２と、来訪者または管理人からの呼び出しがある旨を呼出音の出力をもとに音声通知し、これに応答した居住者が来訪者または管理人との間で通話を行うための音声を入出力するとともに、一斉放送の内容を音声通知するための呼出通話部６３と、制御機５の制御機メモリ５１に予め記憶されている呼出先住戸呼出番号を自居室親機の住戸呼出番号として記憶するための居室親機メモリ６４と、当該居室親機の構成各部をそれぞれ制御するための居室親機制御回路６５と、居室親機制御回路６５および居室親機ラインＬ２の間の信号／データ伝送路を形成するための通信回路（以下、居室親機Ｉ／Ｆという。）６６とを備えている。
【００２１】
なお、本発明の実施例において、共用部親機２１ａ、２１ｂ、・・・および管理室親機３の構成の図示は省略し、具体的な回路構成としては、上述の居室親機１１ａ、１２ａ、・・・、１１ｂ、１２ｂ、・・・、・・・と同様である。
【００２２】
このように構成された本発明の実施例による集合住宅インターホンシステムにおいて、以下、具体的な動作について図１のブロック図を参照して説明する。
【００２３】
当該システムを起動させる施工時等において、棟番号が「Ａ」、「Ｂ」、・・・に予め割り当てられている複数の棟の各住戸内に個別の部屋番号「１」、「２」、・・・、「１１」、「１２」、・・・、・・・を有する（複数の）居室親機１１ａ、１２ａ、・・・、１１ｂ、１２ｂ、・・・、・・・を設置するとともに、複数の棟の各共用部に個別の部屋番号「１１１」、「１１２」、・・・を有する（複数の）共用部親機２１ａ、２１ｂ、・・・を設置するにあたり、ここでは、棟番号が「Ａ」の棟の部屋番号「１」の住戸内に居室親機１１ａを設置するにあたり、当該システムの施工業者は、集中集合玄関へと設置させた集中集合玄関機１の操作部３０を操作して居室親機１１ａが設置される住戸の棟番号「Ａ」および部屋番号「１」を指定する、または居室親機１１ａが設置される棟番号「Ａ」の棟と同一の棟の棟集合玄関へと設置させた棟集合玄関機２ａの操作部４０を操作して居室親機１１ａが設置される住戸の部屋番号「１」を指定する。
【００２４】
ここで、集中集合玄関機１の集中集合玄関機制御回路３４および棟集合玄関機２ａの棟集合玄関機制御回路４４のうち、集中集合玄関機１の集中集合玄関機制御回路３４は、操作部３０の操作により指定された棟番号「Ａ」および部屋番号「１」を表示部３１に表示するとともに、これら棟番号「Ａ」および部屋番号「１」を付加させた集合玄関呼出信号Ｓ１を集中集合玄関機Ｉ／Ｆ３５へと出力する。この集合玄関呼出信号Ｓ１は、集中集合玄関機Ｉ／Ｆ３５、玄関機ラインＬ１、制御機５の玄関機側制御機Ｉ／Ｆ５２を介して制御機制御回路５０へと伝送されるとともに、集中集合玄関機Ｉ／Ｆ３５、玄関機ラインＬ１、棟集合玄関機２ａ、２ｂ、・・・の棟集合玄関機Ｉ／Ｆ４５を介して棟集合玄関機制御回路４４へとそれぞれ伝送される。
【００２５】
なお、棟集合玄関機２ａ、２ｂ、・・・の棟集合玄関機制御回路４４は、集中集合玄関機１からの集合玄関呼出信号Ｓ１が制御機５からの信号（出力信号）でないことにより、当該集合玄関呼出信号が無効であるとそれぞれ判断する。
【００２６】
一方、棟集合玄関機２ａの棟集合玄関機制御回路４４は、操作部４０の操作により指定された部屋番号「１」を表示部４１に表示するとともに、この部屋番号「１」に棟集合玄関機メモリ４３から読み出した棟番号「Ａ」を付加させた集合玄関呼出信号Ｓ２を棟集合玄関機Ｉ／Ｆ４５へと出力する。この集合玄関呼出信号Ｓ２は、棟集合玄関機Ｉ／Ｆ４５、玄関機ラインＬ１、制御機５の玄関機側制御機Ｉ／Ｆ５２を介して制御機制御回路５０へと伝送されるとともに、棟集合玄関機Ｉ／Ｆ４５、玄関機ラインＬ１、集中集合玄関機１の集中集合玄関機Ｉ／Ｆ３５を介して集中集合玄関機制御回路３４へ、棟集合玄関機Ｉ／Ｆ４５、玄関機ラインＬ１、棟集合玄関機２ａを除く他の棟集合玄関機２ｂ、・・・の棟集合玄関機Ｉ／Ｆ４５を介して棟集合玄関機制御回路４４へとそれぞれ伝送される。
【００２７】
なお、集中集合玄関機１の集中集合玄関機制御回路３４および棟集合玄関機２ａを除く他の棟集合玄関機２ｂ、・・・の棟集合玄関機制御回路４４は、棟集合玄関機２ａからの集合玄関呼出信号Ｓ２が制御機５からの信号（出力信号）でないことにより、当該集合玄関呼出信号が無効であるとそれぞれ判断する。
【００２８】
また、制御機５の制御機制御回路５０は、集中集合玄関機１からの集合玄関呼出信号Ｓ１に付加されている棟番号「Ａ」および部屋番号「１」、または棟集合玄関機２ａからの集合玄関呼出信号Ｓ２に付加されている棟番号「Ａ」および部屋番号「１」に対応して予め記憶されている呼出先住戸呼出番号、例えば、「Ａ−１」を制御機メモリ５１から読み出す。
【００２９】
この後、棟番号が「Ａ」の棟の部屋番号「１」の住戸内に設置させた居室親機１１ａの居室親機Ｉ／Ｆ６６が居室親機ラインＬ２へと接続されていると、これを検出した居室親機制御回路６５は、設定部６０にて予め設定されている自居室親機の部屋番号、すなわち、部屋番号「１」を付加した部屋番号データ信号Ｓ３を居室親機Ｉ／Ｆ６６へと出力する。この部屋番号データ信号Ｓ３は、居室親機Ｉ／Ｆ６６、居室親機ラインＬ２、制御機５の居室親機側制御機Ｉ／Ｆ５３を介して制御機制御回路５０へと伝送されるとともに、居室親機Ｉ／Ｆ６６、居室親機ラインＬ２、居室親機１１ａを除く他の居室親機１２ａ、・・・、１１ｂ、１２ｂ、・・・、・・・の居室親機Ｉ／Ｆ６６を介して居室親機制御回路６５へとそれぞれ伝送される。
【００３０】
なお、居室親機１１ａを除く他の居室親機１２ａ、・・・、１１ｂ、１２ｂ、・・・、・・・の居室親機制御回路６５は、居室親機１１ａからの部屋番号データ信号Ｓ３が制御機５からの信号（出力信号）でないことにより、当該部屋番号データ信号が無効であるとそれぞれ判断する。
【００３１】
また、制御機５の制御機制御回路５０は、居室親機１１ａからの部屋番号データ信号Ｓ３に付加されている部屋番号「１」を検出し、制御機メモリ５１から読み出した呼出先住戸呼出番号「Ａ−１」に部屋番号「１」を付加させた呼出先住戸呼出番号データ信号Ｓ４を居室親機側制御機Ｉ／Ｆ５３へと出力する。この呼出先住戸呼出番号データ信号Ｓ４は、居室親機側制御機Ｉ／Ｆ５３、居室親機ラインＬ２、居室親機１１ａ、１２ａ、・・・、１１ｂ、１２ｂ、・・・、・・・の居室親機Ｉ／Ｆ６６を介して居室親機制御回路６５へとそれぞれ伝送される。
【００３２】
さらに、居室親機１１ａ、１２ａ、・・・、１１ｂ、１２ｂ、・・・、・・・の居室親機制御回路６５は、制御機５からの呼出先住戸呼出番号データ信号Ｓ４に付加されている部屋番号「１」と設定部６０にて予め設定されている自居室親機の部屋番号とを照合し、一致した場合にのみ、同様に付加されている呼出先住戸呼出番号「Ａ−１」を自居室親機の住戸呼出番号として居室親機メモリ６４へと記憶させる。ここでは、棟番号が「Ａ」の棟の部屋番号「１」の住戸内に設置された居室親機１１ａの居室親機制御回路６５のみ部屋番号が「１」で一致することにより、上述の呼出先住戸呼出番号「Ａ−１」が自居室親機の住戸呼出番号として居室親機メモリ６４へと記憶される。
【００３３】
上述のように、棟番号が「Ａ」、「Ｂ」、・・・に予め割り当てられている複数の棟の各住戸内に個別の部屋番号「１」、「２」、・・・、「１１」、「１２」、・・・、・・・を有する（複数の）居室親機１１ａ、１２ａ、・・・、１１ｂ、１２ｂ、・・・、・・・を設置するにあたり、居室親機１１ａ、１２ａ、・・・、１１ｂ、１２ｂ、・・・、・・・の居室親機メモリ６４には、集中集合玄関機１または自棟の棟集合玄関機２ａ、２ｂ、・・・から送信されてくる集合玄関呼出信号に対応して制御機５の制御機メモリ５１から読み出される呼出先住戸呼出番号を、自居室親機の住戸呼出番号として記憶することができる。
【００３４】
また、複数の棟の各共用部に個別の部屋番号「１１１」、「１１２」、・・・を有する（複数の）共用部親機２１ａ、２１ｂ、・・・を設置するにあたり、これらの共用部親機２１ａ、２１ｂ、・・・を上述の居室親機１１ａ、１２ａ、・・・、１１ｂ、１２ｂ、・・・、・・・と同様な構成にすると、共用部親機２１ａ、２１ｂ、・・・の共用部親機メモリ（図示せず）には、集中集合玄関機１または自棟の棟集合玄関機２ａ、２ｂ、・・・から送信されてくる集合玄関呼出信号に対応して制御機５の制御機メモリ５１から読み出される呼出先住戸呼出番号を、自共用部親機の住戸呼出番号として記憶することができる。
【００３５】
次に、上述のようなシステム起動を正常に完了させた後、棟番号が「Ａ」、「Ｂ」、・・・に予め割り当てられている複数の棟の各住戸内に設置された居室親機１１ａ、１２ａ、・・・、１１ｂ、１２ｂ、・・・、・・・、複数の棟の各共用部に設置された（複数の）共用部親機２１ａ、２１ｂ、・・・のうち、ここでは、居室親機１１ａの設置住戸である棟番号が「Ａ」の棟の部屋番号「１」の住戸内にてセキュリティ異常が発生、例えば、火災、ガス漏れ、水漏れ等が発生すると、セキュリティ異常の警報内容および居室親機メモリ６４に予め記憶されている住戸呼出番号「Ａ−１」を付加した警報データ信号Ｓ５が居室親機制御回路６５から居室親機Ｉ／Ｆ６６へと出力される。この警報データ信号Ｓ５は、上述の部屋番号データ信号Ｓ３と同様な経路を介して制御機５の制御機制御回路５０へと伝送されるとともに、居室親機１１ａを除く他の居室親機１２ａ、・・・、１１ｂ、１２ｂ、・・・、・・・の居室親機制御回路６５へとそれぞれ伝送される。
【００３６】
なお、居室親機１１ａを除く他の居室親機１２ａ、・・・、１１ｂ、１２ｂ、・・・、・・・の居室親機制御回路６５は、居室親機１１ａからの警報データ信号Ｓ５が制御機５からの信号（出力信号）でないことにより、当該警報データ信号が無効であるとそれぞれ判断する。
【００３７】
また、制御機５の制御機制御回路５０は、居室親機１１ａからの警報データ信号Ｓ５に付加されている警報内容、住戸呼出番号「Ａ−１」をもとに、制御機メモリ５１を参照して「Ａ」の棟の部屋番号「１」の住戸内にてセキュリティ異常が発生したことを警報内容と併せて検出し、棟番号「Ａ」の棟名称を制御機メモリ５１から読み出し、読み出された棟名称および上述の警報内容、棟番号「Ａ」、部屋番号「１」を付加した警報移報データ信号Ｓ６を管理室親機側制御機Ｉ／Ｆ５５へと出力する。この警報移報データ信号Ｓ６は、管理室親機側制御機Ｉ／Ｆ５５、管理室親機ラインＬ４を介して管理室親機３へと伝送される。
【００３８】
さらに、管理室親機３は、制御機５からの警報移報データ信号Ｓ６に付加されている警報内容、棟番号「Ａ」、部屋番号「１」および棟番号「Ａ」の棟名称を検出し、セキュリティ異常の警報内容を表示するとともに、セキュリティ異常が発生した住戸の棟番号「Ａ」、部屋番号「１」および警報内容と併せて当該棟番号の棟名称を詳細に音声通知することができる。
【００３９】
なお、制御機５の制御機メモリ５１の記憶内容、すなわち、居室親機１１ａ、１２ａ、・・・、１１ｂ、１２ｂ、・・・、・・・の居室親機メモリ６４に自居室親機の住戸呼出番号を記憶させるために予め記憶されている呼出先住戸番号、共用部親機２１ａ、２１ｂ、・・・の共用部親機メモリ（図示せず）に自共用部親機の住戸呼出番号を記憶させるために予め記憶されている呼出先住戸番号、居室親機１１ａ、１２ａ、・・・、１１ｂ、１２ｂ、・・・、・・・および共用部親機２１ａ、２１ｂ、・・・の棟番号の棟名称の設定（設定内容）は、設定パソコン４での変更操作をもとに容易に変更することができ、設定パソコン４からの変更データ信号Ｓ７は、パソコンラインＬ５、制御機５のパソコン側制御機Ｉ／Ｆ５６を介して制御機制御回路５０へと伝送され、これを検出した制御機制御回路５０の制御により制御機メモリ５１の記憶内容が変更される。
【００４０】
【発明の効果】
以上の説明から明らかなように、本発明の集合住宅インターホンシステムによれば、同一の系統として割り当てた集中集合玄関機または棟集合玄関機から送信される呼出先の棟番号および部屋番号からなる集合玄関呼出信号に対応した呼出先住戸呼出信号を制御機の制御機メモリへと記憶させるとともに、この呼出先住戸呼出信号を自居室親機の住戸呼出信号として居室親機メモリへと記憶させることにより、これらの玄関機の機器変更を行わずとも居室親機への呼出方法が自由に設定可能となり、当該システムを起動させる施工時等の施工性を高めて棟の構成を自由に構築できる。
【００４１】
また、本発明の集合住宅インターホンシステムによれば、制御機の制御機メモリへと居室親機の棟番号の棟名称の設定（設定内容）を記憶させることにより、居室親機にてセキュリティ異常が発生したとき、管理室親機にて行われる警報報知を制御機メモリから読み出した棟番号の棟名称を用いて詳細に音声通知することができる。
【００４２】
さらに、本発明の集合住宅インターホンシステムによれば、制御機の制御機メモリおよび居室親機の居室親機メモリの記憶内容は、設定パーソナルコンピュータ（設定パソコン）から容易に変更することができる。
【図面の簡単な説明】
【図１】本発明の実施例による集合住宅インターホンシステムの構成を示すブロック図である。
【図２】従来例の集合住宅インターホンシステムの構成を示すブロック図である。
【符号の説明】
１・・・・・集中集合玄関機
３４・・・・・集中集合玄関機制御回路
２ａ、２ｂ、・・・  ・・・・・棟集合玄関機
４４・・・・・棟集合玄関機制御機回路
１１ａ、１２ａ、・・・、１１ｂ、１２ｂ、・・・  ・・・・・（複数の）居室親機
６４・・・・・居室親機メモリ
３・・・・・管理室親機
４・・・・・設定パーソナルコンピュータ（設定パソコン）
５・・・・・制御機
５１・・・・・制御機メモリ
５６・・・・・通信回路（パソコン側制御機Ｉ／Ｆ）
【図１】
2004260679.tif 000003
【図２】
2004260679.tif 000004